(57)【特許請求の範囲】
【請求項１】
食器類を収納する洗浄槽と、前記洗浄槽内に回転自在に設け洗浄水を噴射する洗浄ノズルと、前記洗浄ノズルに洗浄水を送り込む洗浄手段と、前記洗浄槽内の洗浄水を加熱する加熱手段と、前記洗浄槽の開口部を開閉するふたと、前記ふたを閉状態に保持するロック装置と、前記ロック装置に連動して開閉され前記洗浄手段と加熱手段の電源を直接入り切りするロック連動スイッチと、前記ロック装置に連動せず前記ふたの開閉を検知し前記洗浄手段と加熱手段の電源を直接入り切りしない信号レベルのふた検知スイッチと、前記ロック連動スイッチとふた検知スイッチの開閉状態を検知し前記洗浄手段、加熱手段の動作を制御して予め決められた制御をする制御手段とを備え、前記制御手段は、前記ロック連動スイッチとふた検知スイッチの両方が閉成状態のとき機器の動作を開始し、機器の動作中に前記ロック連動スイッチとふた検知スイッチのどちらか一方が開成状態になると機器の動作を停止するように構成した食器洗い機。
【請求項２】
制御手段は、ふた検知スイッチの開成状態とロック連動スイッチの閉成状態を同時に検知したときロック連動スイッチの異常と判断するようにした請求項１記載の食器洗い機。
【請求項３】
制御手段は、ロック連動スイッチが閉成状態のままふた検知スイッチが閉成状態から開成状態になったとき、その開成状態の時間が予め決められた時間よりも長くなった場合に、ロック連動スイッチの異常と判断するようにした請求項１記載の食器洗い機。
【請求項４】
表示手段と報知手段を備え、制御手段は、ロック連動スイッチの異常と判断した場合に、前記表示手段に異常内容の表示をし、前記報知手段で異常が生じたことを報知するようにした請求項２または３に記載の食器洗い機。
【請求項５】
開成状態にすることにより洗浄手段と加熱手段への電源の供給を切ることができる電源スイッチを備え、制御手段は、ロック連動スイッチの異常と判断した場合に、前記電源スイッチを開成状態とするようにした請求項２または３に記載の食器洗い機。
【請求項６】
洗浄槽内の洗浄水を排出する排水ポンプを備え、制御手段は、ロック連動スイッチの異常と判断した場合に、前記排水ポンプを動作させ洗浄槽内の洗浄水を排出するようにした請求項２または３に記載の食器洗い機。
【請求項７】
制御手段は、ふた検知スイッチが開成状態から閉成状態に切り換ったとき所定の時間後に負荷を動作させ、閉成状態から開成状態に切り換ったときは直ちに負荷を停止するようにした請求項１記載の食器洗い機。
【請求項８】
操作スイッチを有する入力手段と、表示手段とを備え、制御手段は、前記入力手段から通常と異なる入力を行った場合に、ふた検知スイッチとロック連動スイッチのそれぞれの開成および閉成の状態を区分して前記表示手段に表示するようにした請求項１記載の食器洗い機。
【発明の詳細な説明】
【０００１】
【発明の属する技術分野】
本発明は洗浄槽内の洗浄水を循環させて食器類を洗浄する食器洗い機に関するものである。
【０００２】
【従来の技術】
従来、この種の食器洗い機においては、扉またはふたの開閉を検知するために、開閉のロック装置に連動させたスイッチを設け、そのスイッチにヒータやモータなどの負荷電流を流すと同時に、その開閉状態を信号レベルに変換し、制御手段で読み取る方法が一般的であった。以下、その構成について説明する。
【０００３】
図１０に示すように、洗浄槽３０は、前面に開口部を有し、食器かご３１にセットした食器類３２を収納している。洗浄ノズル３３は、洗浄槽３０の底部ほぼ中央に回転自在に設け、洗浄ポンプ３４より送り込まれた洗浄水を洗浄槽３０内に噴射する。ヒータ３５は、洗浄槽３０内の洗浄水を加熱する。扉３６は、洗浄槽３０の開口部を開閉自在に設け、食器類３２を出し入れする。
【０００４】
スイッチ３７は、扉３６の開閉に連動して開閉するもので、扉３６が閉まっているときはスイッチ３７も閉成状態にあり、ヒータ３５や洗浄ポンプ３４にはスイッチ３７を通して通電された状態にある。ここで、扉３６が開かれると、同時にスイッチ３７も開成され、ヒータ３５および洗浄ポンプ３４への電流が遮断され、その信号が制御手段（図示せず）へも伝えられ、制御手段もその動作を停止するように構成している。
【０００５】
【発明が解決しようとする課題】
このような従来の構成では、扉３６の開閉を検知するスイッチ３７が１系統しかなく、しかも、ヒータ３５などの大電流を開閉するため、スイッチ３７の溶着による故障も考えられるなど、その安全性に対する信頼性は必ずしも十分なものとはいえなかった。
【０００６】
本発明は上記課題を解決するもので、ふたの開閉を検知するスイッチの信頼性を向上し、それにより動作、停止を制御する際の信頼性および安全性を向上することを目的としている。
【０００７】
【課題を解決するための手段】
本発明の食器洗い機においては、洗浄槽の開口部を開閉するふたと、前記ふたを閉状態にロックするロック装置と、前記ロック装置に連動して開閉され洗浄手段と加熱手段の電源を直接入り切りするロック連動スイッチと、前記ロック装置に連動せず前記ふたの開閉を検知し前記洗浄手段と加熱手段の電源を直接入り切りしない信号レベルのふた検知スイッチと、前記ロック連動スイッチとふた検知スイッチの開閉状態を検知し前記洗浄手段、加熱手段の動作を制御して予め決められた制御をする制御手段とを備え、前記制御手段は、前記ロック連動スイッチとふた検知スイッチの両方が閉成状態のとき機器の動作を開始し、機器の動作中に前記ロック連動スイッチとふた検知スイッチのどちらか一方が開成状態になると機器の動作を停止するように構成したものである。
【０００８】
これにより、ふたの開閉を検知するスイッチが２系統になり、ふたの開閉を検知するスイッチの信頼性を向上することができ、それにより動作、停止を制御する際の信頼性および安全性を向上することができる。
【０００９】
【発明の実施の形態】
本発明の請求項１に記載の発明は、食器類を収納する洗浄槽と、前記洗浄槽内に回転自在に設け洗浄水を噴射する洗浄ノズルと、前記洗浄ノズルに洗浄水を送り込む洗浄手段と、前記洗浄槽内の洗浄水を加熱する加熱手段と、前記洗浄槽の開口部を開閉するふたと、前記ふたを閉状態に保持するロック装置と、前記ロック装置に連動して開閉され前記洗浄手段と加熱手段の電源を直接入り切りするロック連動スイッチと、前記ロック装置に連動せず前記ふたの開閉を検知し前記洗浄手段と加熱手段の電源を直接入り切りしない信号レベルのふた検知スイッチと、前記ロック連動スイッチとふた検知スイッチの開閉状態を検知し前記洗浄手段、加熱手段の動作を制御して予め決められた制御をする制御手段とを備え、前記制御手段は、前記ロック連動スイッチとふた検知スイッチの両方が閉成状態のとき機器の動作を開始し、機器の動作中に前記ロック連動スイッチとふた検知スイッチのどちらか一方が開成状態になると機器の動作を停止するように構成したものであり、２系統のスイッチによりふたの開閉を検知することができ、その１つをふた開閉のロック装置に連動し、しかも負荷の電源を直接入り切りするスイッチとしているため、安全性を向上することができ、他方のスイッチをロック装置や負荷電流に無関係な信号レベルのスイッチとすることにより、信頼性を向上することができる。
【００１０】
請求項２に記載の発明は、上記請求項１に記載の発明において、制御手段は、ふた検知スイッチの開成状態とロック連動スイッチの閉成状態を同時に検知したときロック連動スイッチの異常と判断するようにしたものであり、２系統のスイッチのうち、ロック連動スイッチが閉じたままでふた検知スイッチが開いた状態になったときには、通常ではありえない状態と判断し、ロック連動スイッチの異常とすることで、安全性を向上させることができる。
【００１１】
請求項３に記載の発明は、上記請求項１に記載の発明において、制御手段は、ロック連動スイッチが閉成状態のままふた検知スイッチが閉成状態から開成状態になったとき、その開成状態の時間が予め決められた時間よりも長くなった場合に、ロック連動スイッチの異常と判断するようにしたものであり、ふた検知スイッチの開成状態の時間により、異常判断の際の誤検知を少なくすることができ、信頼性を向上することができる。
【００１２】
請求項４に記載の発明は、上記請求項２または３に記載の発明に加えて、表示手段と報知手段を備え、制御手段は、ロック連動スイッチの異常と判断した場合に、前記表示手段に異常内容の表示をし、前記報知手段で異常が生じたことを報知するようにしたものであり、異常が生じた際の内容を表示手段および報知手段を用いて表示または報知することにより、使用者に的確に知らせることができる。
【００１３】
請求項５に記載の発明は、上記請求項２または３に記載の発明に加えて、開成状態にすることにより洗浄手段と加熱手段への電源の供給を切ることができる電源スイッチを備え、制御手段は、ロック連動スイッチの異常と判断した場合に、前記電源スイッチを開成状態とするようにしたものであり、異常が生じた際に、電源スイッチを強制的に開成させることにより、負荷への電流を強制的に遮断することができ、安全性を確保することができる。
【００１４】
請求項６に記載の発明は、上記請求項２または３に記載の発明に加えて、洗浄槽内の洗浄水を排出する排水ポンプを備え、制御手段は、ロック連動スイッチの異常と判断した場合に、前記排水ポンプを動作させ洗浄槽内の洗浄水を排出するようにしたものであり、異常と判断した際に洗浄槽内の洗浄水を排水しておくことによって、サービスマンが修理を行うときにすぐに作業に取りかかれ、サービス性を向上することができる。
【００１５】
請求項７に記載の発明は、上記請求項１に記載の発明において、制御手段は、ふた検知スイッチが開成状態から閉成状態に切り換ったとき所定の時間後に負荷を動作させ、閉成状態から開成状態に切り換ったときは直ちに負荷を停止するようにしたものであり、ふた検知スイッチの開閉を検知してから実際に動作に移るまでにその状態に応じた時間差を設けることにより、使用性を向上することができる。
【００１６】
請求項８に記載の発明は、上記請求項１に記載の発明に加えて、操作スイッチを有する入力手段と、表示手段とを備え、制御手段は、前記入力手段から通常と異なる入力を行った場合に、ふた検知スイッチとロック連動スイッチのそれぞれの開成および閉成の状態を区分して前記表示手段に表示するようにしたものであり、２系統のスイッチの開閉状態をそれぞれ表示させることができ、組み立ておよびサービス時の信頼性を高めることができる。
【００１７】
以下、本発明の実施の形態について、図面を参照しながら説明する。
【００１８】
（実施の形態１）
図１に示すように、洗浄槽１は、上面に開口部を有し、食器かご２にセットした食器類３を収納している。洗浄ノズル４は、洗浄槽１の底部ほぼ中央に回転自在に設け、洗浄ポンプ（洗浄手段）５より送り込まれた洗浄水を洗浄槽１内に噴射する。ヒータ（加熱手段）６は、洗浄槽１内の洗浄水を加熱する。ふた７は、洗浄槽１の開口部を上方に開閉自在に設け、食器類３を出し入れする。
【００１９】
ロック装置８は、ふた７を閉状態に保持するもので、ロック連動スイッチ９は、ロック装置８に連動して開閉され、洗浄ポンプ５とヒータ６に接続して直接開閉する。ふた検知スイッチ１０は、ロック装置８に連動せずにふた７の開閉を検知するもので、洗浄ポンプ５、ヒータ６などの負荷の電流を直接開閉しない信号レベルのスイッチである。
【００２０】
制御手段１１は、洗浄ポンプ５、ヒータ６の動作を制御し、ロック連動スイッチ９とふた検知スイッチ１０の開閉状態により、予め決められた動作を行うもので、図２に示すように、商用電源１２の電圧を低圧の信号レベルの電圧に変換する電圧変換手段１３の出力電圧により動作する。検知手段１４は、ロック連動スイッチ９の開閉状態を検知し、低圧の信号レベルの電圧に変換して制御手段１１に入力する。駆動手段１５は、制御手段１１の出力を受け、洗浄ポンプ５およびヒータ６の通電を制御する。
【００２１】
上記構成において動作を説明すると、洗浄槽１内に溜めた洗浄水をヒータ６で加熱しながら洗浄ポンプ５で洗浄ノズル４に送り、洗浄ノズル４から食器類３に噴射することによって、食器類３の洗いおよびすすぎを行う。ふた７が開けられると、ロック連動スイッチ９およびふた検知スイッチ１０の出力により洗浄ノズル４の動作を停止する。
【００２２】
ロック連動スイッチ９は、ふた７が閉じられてロック装置８が閉成されたときに同時に閉成され、逆に、ふた７が開かれロック装置８が開成されると同時に開成される。このロック連動スイッチ９は、洗浄ポンプ５とヒータ６の電源を、制御手段１１および駆動手段１５の状態によらず直接入り切りする機能を有しており、万一、制御手段１１が故障しても、洗浄ポンプ５とヒータ６の動作を停止させることができる。
【００２３】
一方、ふた検知スイッチ１０は、ロック装置８の状態によらず、ふた７が閉じられれば閉成し、ふた７が開かれれば開成し、しかも、直接制御手段１１に接続された信号レベルのスイッチであり、信号レベルの電流しか流さないため、応答を早くすることができ、さらにはロック連動スイッチ９のような大電流による接点の溶着の心配もない。
【００２４】
このロック連動スイッチ９とふた検知スイッチ１０の開閉の状態と負荷の動作を（表１）に示すように組み合わせることによって、ロック連動スイッチ９とふた検知スイッチ１０の両方が閉成状態の場合に機器の動作を開始し、また機器の動作中にロック連動スイッチ９とふた検知スイッチ１０のどちらか一方の開成状態となった場合に機器の動作を停止することができ、機器の動作、停止を制御する際の信頼性および安全性を向上することができる。
【００２５】
【表１】
0003550830.tif 000002
【００２６】
（実施の形態２）
図１における制御手段１１は、（表２）に示すように、ふた検知スイッチ１０の開成状態とロック連動スイッチ９の閉成状態を同時に検知したとき、ロック連動スイッチ９の異常と判断するようにしている。他の構成は上記実施の形態１と同じである。
【００２７】
【表２】
0003550830.tif 000003
【００２８】
上記構成において動作を説明すると、図１に示すようなロック連動スイッチ９とふた検知スイッチ１０の構成では、ロック装置８が開成すると、ロック連動スイッチ９も同時に開成するため、ふた７が開いておらず、ふた検知スイッチ１０が閉成状態にあるときにも機器の動作を停止することになる。
【００２９】
すなわち、ふた７を閉じるときには、先にふた検知スイッチ１０が閉成され、その後からロック連動スイッチ９が閉成され、ふた７を開くときには、ロック連動スイッチ９が先で、後からふた検知スイッチ１０が開成されることになり、ふた検知スイッチ１０が開成状態のときは必ずロック連動スイッチ９も開成状態が正常な状態である。
【００３０】
したがって、ロック連動スイッチ９が閉成状態にあるときに、ふた検知スイッチ１０の開成状態を検知したときには、なんらかの異常、たとえば、ロック連動スイッチ９の溶着と判断することができ、（表２）に示すように、動作することにより、ふた７の開閉を検知するスイッチの安全性を向上することができ、異常を判断する機能を持たせることができる。
【００３１】
（実施の形態３）
図１における制御手段１１は、ロック連動スイッチ９が閉成状態のまま、ふた検知スイッチ１０が閉成状態から開成状態になったとき、その開成状態の時間が予め決められた時間よりも長くなった場合に、ロック連動スイッチ９の異常と判断するようにしている。他の構成は上記実施の形態１と同じである。
【００３２】
上記構成において図３を参照しながら動作を説明すると、図３（ａ）は正常状態を示しており、ロック連動スイッチ９が開いてからふた検知スイッチ１０が開くタイミングを示している。ここで、図３（ｂ）に示すように、ロック連動スイッチ９が閉状態のままで、ふた検知スイッチ１０が予め決められた時間Ｔ１（たとえば、１０秒）以下の短時間開いた場合は、ふた７を無理に開けようとするなどの強い衝撃がふた７に加えられた場合などが想定されるため異常としない。
【００３３】
つぎに、図３（ｃ）に示すように、予め決められた時間Ｔ１以上の間、ふた検知スイッチ１０の開状態を検知すると、ロック連動スイッチ９の異常と判断する。このことにより、誤検知を避けるための判断機能を追加し、その機能の信頼性を向上させることができる。
【００３４】
（実施の形態４）
図１における制御手段１１は、ふた検知スイッチ１０とロック連動スイッチ９がともに閉成された状態から、先にふた検知スイッチ１０の開成状態を検知した場合にロック連動スイッチ９の異常と判断し、また、ふた検知スイッチ１０とロック連動スイッチ９がともに開成された状態から、先にロック連動スイッチ９の閉成状態を検知した場合にふた検知スイッチ１０の異常と判断するようにしている。他の構成は上記実施の形態１と同じである。
【００３５】
上記構成において図４を参照しながら動作を説明すると、図４（ａ）に示すように、ロック連動スイッチ９が閉状態のままで、ふた検知スイッチ１０が開状態となった場合は、上記実施の形態３と同様に、ロック連動スイッチ９の溶着などの異常と判断することができる。図４（ｂ）に示すように、ふた検知スイッチ１０が開状態のままで、ロック連動スイッチ９が閉状態になると、ふた検知スイッチ１０のオープン異常などと判断できる。
【００３６】
一般に、ロック連動スイッチ９は大電流を開閉するためマイクロスイッチを用い、溶着不良が考えられ、ふた検知スイッチ１０は信号レベルのリードスイッチを用い、オープン不良が考えられることからも、それぞれの異常状態を的確に判断する機能を提供することが可能となる。
【００３７】
（実施の形態５）
図５に示すように、表示手段１６は発光ダイオードなどで構成し、報知手段１７はブザーなどで構成している。制御手段１８は、ふた検知スイッチ１０またはロック連動スイッチ９の異常と判断した場合に、表示手段１６に異常内容の表示をし、報知手段１７で異常が生じたことを報知するようにしている。他の構成は上記実施の形態１と同じである。
【００３８】
この構成により、上記実施の形態３または４のように、ロック連動スイッチ９またはふた検知スイッチ１０の異常を検知したとき、表示手段１６による異常表示または報知手段１７による異常報知を行うことによって、その内容を使用者に的確に知らせることができる。
【００３９】
（実施の形態６）
図６に示すように、電源スイッチ１９は、制御手段２０から駆動手段２１を介して電源の供給を強制的に切るようにしている。制御手段２０は、ふた検知スイッチ１０またはロック連動スイッチ９の異常と判断した場合に、電源スイッチ１９を開成状態とするようにしている。他の構成は上記実施の形態１または５と同じである。
【００４０】
この構成により、上記実施の形態３または４のように、ロック連動スイッチ９またはふた検知スイッチ１０の異常を検知したとき、電源スイッチ１９により電源の供給を停止するができ、ふた７の開閉を検知するスイッチに異常が生じた際に、安全性を確保することができる。
【００４１】
（実施の形態７）
図７に示すように、排水ポンプ２２は、洗浄槽１内の洗浄水を排出するもので、制御手段２３および駆動手段２４により制御される。制御手段２３は、ふた検知スイッチ１０またはロック連動スイッチ９の異常と判断した場合に、排水ポンプ２２を動作させ、洗浄槽１内の洗浄水を排出するようにしている。他の構成は上記実施の形態１または５と同じである。
【００４２】
この構成により、上記実施の形態３または４のように、ロック連動スイッチ９またはふた検知スイッチ１０の異常を検知したとき、一般的に異常が起こった後は通常の操作ができなくなるので、洗浄槽１内の水を排出しておくことにより、サービスマンが修理を行う際に、機器をひっくり返すなどの煩わしい操作を行うことなく修理を行うことができ、ふた７の開閉を検知するスイッチに異常が生じた際に、その修理のサービス性を向上することができる。
【００４３】
（実施の形態８）
図１における制御手段１１は、ふた検知スイッチ１０が開成状態から閉成状態に切り換ったとき、所定の時間Ｔ２（たとえば、１秒）後に洗浄ポンプ５、ヒータ６などの負荷を動作させ、閉成状態から開成状態に切り換ったときは直ちに負荷を停止するようにしている。他の構成は上記実施の形態１と同じである。
【００４４】
上記構成において図８を参照しながら動作を説明すると、図８（ａ）はふた７を閉じたときの動作で、まず、ふた検知スイッチ１０が閉になった後に、ロック連動スイッチ９が閉になる。このとき、ロック連動スイッチ９の閉状態を検知してから所定の時間Ｔ２経過後の時刻ｔ１で、洗浄ポンプ５、ヒータ６などの負荷を動作させる。このことにより、ふた７のロックをより完全なものとすることができ、また使用者の感覚にあったものにできる。
【００４５】
つぎに、ふた７を開けるときは、図８（ｂ）に示すように、ロック連動スイッチ９の開状態を検知した時刻ｔ２で直ちに負荷の動作を停止する。このことにより、ふた７の開閉を検知するスイッチの安全性を確保するとともに、さらに使用性を向上することができる。
【００４６】
（実施の形態９）
図９に示すように、入力手段２５は、操作スイッチ（図示せず）を有し、操作部（図示せず）に配置している。制御手段２６は、入力手段２５から通常と異なる入力を行った場合に、ふた検知スイッチ１０とロック連動スイッチ９のそれぞれの開成および閉成の状態を区分して表示手段１６に表示するようにしている。他の構成は上記実施の形態１または５と同じである。
【００４７】
この構成により、入力手段２５から、通常、使用者が操作するのとは異なる検査用またはサービス用の特別の操作により入力したとき、表示手段１６にロック連動スイッチ９とふた検知スイッチ１０のそれぞれの開閉状態を個別に表示することができ、ふた７の開閉を検知するスイッチの動作を表示にて確認することができ、組み立て工程または修理サービスにおける信頼性を向上することができる。
【００４８】
【発明の効果】
以上のように本発明の請求項１に記載の発明によれば、制御手段は、ロック連動スイッチとふた検知スイッチの両方が閉成状態のとき機器の動作を開始し、機器の動作中に前記ロック連動スイッチとふた検知スイッチのどちらか一方が開成状態になると機器の動作を停止するように構成したから、２系統のスイッチによりふたの開閉を検知することができ、その１つをふた開閉のロック装置に連動し、しかも負荷の電源を直接入り切りするスイッチとしているため、安全性を向上することができ、他方のスイッチをロック装置や負荷電流に無関係な信号レベルのスイッチとすることにより、信頼性を向上することができる。
【００４９】
また、請求項２に記載の発明によれば、制御手段は、ふた検知スイッチの開成状態とロック連動スイッチの閉成状態を同時に検知したときロック連動スイッチの異常と判断するようにしたから、２系統のスイッチのうち、ロック連動スイッチが閉じたままでふた検知スイッチが開いた状態になったときには、通常ではありえない状態と判断し、ロック連動スイッチの異常とすることで、安全性を向上させることができる。
【００５０】
また、請求項３に記載の発明によれば、制御手段は、ロック連動スイッチが閉成状態のままふた検知スイッチが閉成状態から開成状態になったとき、その開成状態の時間が予め決められた時間よりも長くなった場合に、ロック連動スイッチの異常と判断するようにしたから、ふた検知スイッチの開成状態の時間により、異常判断の際の誤検知を少なくすることができ、信頼性を向上することができる。
【００５１】
また、請求項４に記載の発明によれば、表示手段と報知手段を備え、制御手段は、ロック連動スイッチの異常と判断した場合に、前記表示手段に異常内容の表示をし、前記報知手段で異常が生じたことを報知するようにしたから、異常が生じた際の内容を表示手段および報知手段を用いて表示または報知することにより、使用者に的確に知らせることができる。
【００５２】
また、請求項５に記載の発明によれば、開成状態にすることにより洗浄手段と加熱手段への電源の供給を切ることができる電源スイッチを備え、制御手段は、ロック連動スイッチの異常と判断した場合に、前記電源スイッチを開成状態とするようにしたから、異常が生じた際に、負荷への電流を強制的に遮断することができ、安全性を確保することができる。
【００５３】
また、請求項６に記載の発明によれば、洗浄槽内の洗浄水を排出する排水ポンプを備え、制御手段は、ロック連動スイッチの異常と判断した場合に、前記排水ポンプを動作させ洗浄槽内の洗浄水を排出するようにしたから、異常と判断した際に洗浄槽内の洗浄水を排水しておくことによって、サービス性を向上することができる。
【００５４】
また、請求項７に記載の発明によれば、制御手段は、ふた検知スイッチが開成状態から閉成状態に切り換ったとき所定の時間後に負荷を動作させ、閉成状態から開成状態に切り換ったときは直ちに負荷を停止するようにしたから、使用性を向上することができる。
【００５５】
また、請求項８に記載の発明によれば、操作スイッチを有する入力手段と、表示手段とを備え、制御手段は、前記入力手段から通常と異なる入力を行った場合に、ふた検知スイッチとロック連動スイッチのそれぞれの開成および閉成の状態を区分して前記表示手段に表示するようにしたから、２系統のスイッチの開閉状態をそれぞれ表示させることができ、組み立ておよびサービス時の信頼性を高めることができる。
【図面の簡単な説明】
【図１】本発明の第１の実施の形態の食器洗い機の断面図
【図２】同食器洗い機のブロック回路図
【図３】（ａ）本発明の第３の実施の形態の食器洗い機の正常動作時の動作タイムチャート
（ｂ）同食器洗い機のふた検知スイッチが時間Ｔ１以下の時間開いた場合の動作タイムチャート
（ｃ）同食器洗い機のふた検知スイッチが時間Ｔ１以上の時間開いた場合の動作タイムチャート
【図４】（ａ）本発明の第４の実施の形態の食器洗い機の異常動作時の一例の動作タイムチャート
（ｂ）同食器洗い機の異常動作時の他の例の動作タイムチャート
【図５】本発明の第５の実施の形態の食器洗い機のブロック回路図
【図６】本発明の第６の実施の形態の食器洗い機のブロック回路図
【図７】本発明の第７の実施の形態の食器洗い機のブロック回路図
【図８】（ａ）本発明の第８の実施の形態の食器洗い機のふたを閉じたときの動作タイムチャート
（ｂ）同食器洗い機のふたを開いたときの動作タイムチャート
【図９】本発明の第９の実施の形態の食器洗い機のブロック回路図
【図１０】従来の食器洗い機の断面図
【符号の説明】
１  洗浄槽
３  食器類
４  洗浄ノズル
５  洗浄ポンプ（洗浄手段）
６  ヒータ（加熱手段）
７  ふた
８  ロック装置
９  ロック連動スイッチ
１０  ふた検知スイッチ
１１  制御手段
【図１】
0003550830.tif 000004
【図２】
0003550830.tif 000005
【図３】
0003550830.tif 000006
【図４】
0003550830.tif 000007
【図５】
0003550830.tif 000008
【図６】
0003550830.tif 000009
【図７】
0003550830.tif 000010
【図８】
0003550830.tif 000011
【図９】
0003550830.tif 000012
【図１０】
0003550830.tif 000013